(57)【要約】      （修正有）【課題】開扉状態で、デッドボルトが最大突出量まで突出してロック状態となるのを未然に防止することができる自動施錠装置を提供する。【解決手段】デッドボルト２０が最大突出量Ｐｂまで突出したロック状態と中間突出量まで突出したラッチ状態を有し、閉扉したときにフロント板１２の内側のトリガー作動部材３１が作動してラッチ係止部材３５に作用してラッチ状態を解除するトリガー機構３０を備えた自動施錠装置において、閉扉したときに、トリガー作動部材３１に一体に設けられた第１永久磁石Ｍ１がストライク板１１の内側に設けられた第２永久磁石Ｍ２に対応して互いに作用する磁力を受けてトリガー作動部材３１を作動する構成とした。【選択図】図７
2018204322.tif 000002
【特許請求の範囲】
【請求項１】
ボルト付勢手段(22,72)により付勢されて前進して扉の戸先に沿ったフロント板(12,62)から前方に最大突出量(Pb)まで突出し、前記ボルト付勢手段(22,72)に抗して後方に後退して前記フロント板(12,62)の内側に没する前端に傾斜面(20s,70s)を有するデッドボルト(20,70)と、
最大突出量(Pb)まで突出した前記デッドボルト(20,70)に係止して同デッドボルト(20,70)の後退を規制してロック状態とするロック係止部材(25,75)と、
最大突出量(Pb)より小さい中間突出量(Pa)まで突出したデッドボルト(20,70)の前進を規制してラッチ状態とするラッチ係止部材(35,85)と、
閉扉したときに前記フロント板(12,62)の内側のトリガー作動部材(31,91)がトリガー付勢手段(37,93)の付勢力に抗して作動して前記ラッチ係止部材(35,85)に作用してラッチ状態を解除するトリガー機構(30,90)と、を備えた自動施錠装置において、
前記トリガー機構(30,90)は、
前記トリガー作動部材(31,91)に一体に設けられた第１永久磁石(M1)が前記フロント板(12,62)の内面に対向して設けられ、
閉扉時に前記フロント板(12,62)から突出した前記デッドボルト(20,70)が貫通して挿入される施錠口(11a,61a)を有する戸口枠側のストライク板(11,61)の内側に第２永久磁石(M2)が設けられ、
閉扉したときに、前記第１永久磁石(M1)が前記第２永久磁石(M2)に対応して互いに作用する磁力を受けて前記トリガー作動部材(31,91)を前記トリガー付勢手段(37,93)の付勢力に抗して作動することを特徴とすることを特徴とする自動施錠装置。
【請求項２】
前記トリガー機構(30,90)は、閉扉時に、前記第１永久磁石(M1)と前記第２永久磁石(M2)が互いに同じ磁極を対向させて斥力を生じさせることを特徴とする請求項１記載の自動施錠装置。
【請求項３】
前記デッドボルト(20)の前記ロック係止部材(25)側の側面にロック係止突起部(20p)とラッチ凹部(20q)が前後に並んで形成され、
前記ロック係止部材(25)は、回動自在に設けられ、前記ラッチ凹部(20q)に係合して前記デッドボルト(20)と連動されるとともに前記ロック係止突起部(20p)に係止してロック状態とするロック係止片部(25a)と、前記ラッチ係止部材(35)に係止してラッチ状態とするラッチ係止片部(25b)とを備え、
前記ラッチ係止部材(35)は、前記トリガー作動部材(31)に固着され、
前記ラッチ係止片部(25b)が前記ラッチ係止部材(35)に当接する方向に前記ロック係止部材(25)が、回動付勢手段(24)により回動付勢されることを特徴とする請求項１または請求項２記載の自動施錠装置。
【請求項４】
前記デッドボルト(70)の前記ロック係止部材(75)側の側面にロック係止段部(70p)とラッチ突起部(70q)が前後に並んで形成され、
前記ロック係止部材(75)は、回動自在に設けられ、前記ロック係止段部(70p)に係止してロック状態とするロック係止杆部(75f)を備え、
前記ラッチ係止部材(85)は、回動自在に設けられ、前記ラッチ突起部(70q)に係止するラッチ係止爪部(85ｎ)と、前記トリガー作動部材(91)に係合して連動させるトリガー係合突部(85ｔ)とを備え、
回動付勢手段(81)により、前記ロック係止杆部(75f)が前記デッドボルト(70)のロック係止段部(70p)に係止する方向に前記ロック係止部材(75)が回動付勢されると同時に、前記トリガー係合突部(85ｔ)が前記トリガー作動部材(91)に係合する方向に前記ラッチ係止部材(85)が回動付勢されることを特徴とする請求項１または請求項２記載の自動施錠装置。
【発明の詳細な説明】
【技術分野】
【０００１】
本発明は、扉が閉扉すると自動的に施錠する自動施錠装置に関する。
【背景技術】
【０００２】
自動施錠装置は、扉が戸口枠を閉じて閉扉したときに、扉側の戸先面から前進して突出したデッドボルトが戸口枠側のストライク板に開口した施錠口を貫通して挿入されると、自動的に施錠して、外側のあるいは内外両側のノブまたはレバーハンドル等によってはデッドボルトを後退させて引っ込め解錠することができない施錠装置である。
【０００３】
このような自動施錠装置には、デッドボルトが戸先面からの突出が、最大突出量と中間突出量の２段の突出状態があり、閉扉時に最大突出量突出して後退しないように規制したロック状態と、開扉時に中間突出量突出し、中間突出量以上の突出は規制され、後退は自由に行えるようにしたラッチ状態とを有する施錠装置がある（例えば、特許文献１参照）。
【先行技術文献】
【特許文献】
【０００４】
【特許文献１】特公昭４０−２８８７９号公報
【０００５】
デッドボルトにロック状態とラッチ状態の２段の突出状態がある自動施錠装置には、閉扉時にラッチ状態を解除するトリガー機構を有し、特許文献１では、デッドボルトと並んで戸先面から出没自在に突出するトリガー（トリガー出没部材）を有し、閉扉時にトリガーが後退して作動部材を作動し、作動部材がデッドボルトを中間突出量のラッチ状態でそれ以上の突出を規制していた解錠位置抑止部材（ラッチ係止部材）に作用してラッチ状態を解除するようにしている。
なお、デッドボルトとトリガー出没部材は、双方とも前端に傾斜面を有して、閉扉時に戸口枠側のストライク板に傾斜面が当接すると後退するようになっている。
【０００６】
すなわち、開扉時には、デッドボルトが戸先面から中間突出量突出してラッチ状態にあるとともに、トリガー出没部材が戸先面から突出した状態にあり、この開扉状態から扉が戸口枠を閉じて閉扉するとき、デッドボルトとトリガー出没部材は双方の傾斜面が戸口枠側のストライク板に当接してともに後退する。
【０００７】
トリガー出没部材の後退により作動部材を介して解錠位置抑止部材がデッドボルトの前進規制を解除するので、ストライク板に当接して後退していたデッドボルトがストライク板に開口した施錠口に合致したときに突出して施錠口を貫通して挿入され、最大突出量まで突出したところで、施錠片（ロック係止部材）がデッドボルトに係止して後退が規制されてロック状態とする。
【０００８】
ロック状態を解除して解錠するには、錠シリンダにキーを挿入して解錠操作するか、扉の内側のサムターンを回動して解錠する方法と、扉の内側のノブまたはレバーハンドル等の操作することにより解錠する方法がある。
【発明の概要】
【発明が解決しようとする課題】
【０００９】
しかし、近年、人の出入りを管理するため、閉扉時に、扉の内側のノブ等の操作でもロック状態を解除できず、さらにサムターンに非常カバーが被せられ、キーの操作による以外にロック状態を解除する方法がない仕様に構成された自動施錠装置が増えている。
【００１０】
このような仕様の自動施錠装置の場合、特許文献１に開示されたように、トリガー出没部材が戸先面から出没自在に突出する構造のものであると、デッドボルトが中間突出量突出してラッチ状態にありトリガー出没部材が突出した開扉状態において、誤ってあるいは悪戯で、トリガー出没部材がデッドボルトとともに押し込まれるようなことがあると、ラッチ状態が解除されて、デッドボルトが最大突出量まで突出して、施錠片によりロック状態となってしまう。
【００１１】
開扉状態で、デッドボルトが最大突出量まで突出してロック状態となると、キーによりロック状態を解除する以外に、ロック状態を解除する方法はなく、キーが手元にない場合には、開扉状態においてデッドボルトが長時間に亘り最大突出量まで突出した状態となり、突出したデッドボルトが戸口枠に衝突する等して破損するおそれがある。
なお、サムターンに非常カバーが被せられたものでは、非常カバーを壊してサムターンを操作する方法があるが、後処理が面倒である。
【００１２】
本発明は、かかる点に鑑みなされたもので、その目的とする処は、開扉状態で、デッドボルトが最大突出量まで突出してロック状態となるのを未然に防止することができる自動施錠装置を供する点にある。
【課題を解決するための手段】
【００１３】
上記目的を達成するために、本発明に係る自動施錠装置は、
ボルト付勢手段により付勢されて前進して扉の戸先に沿ったフロント板から前方に最大突出量まで突出し、前記ボルト付勢手段に抗して後方に後退して前記フロント板の内側に没する前端に傾斜面を有するデッドボルトと、
最大突出量まで突出した前記デッドボルトに係止して同デッドボルトの後退を規制してロック状態とするロック係止部材と、
最大突出量より小さい中間突出量まで突出したデッドボルトの前進を規制してラッチ状態とするラッチ係止部材と、
閉扉したときに前記フロント板の内側のトリガー作動部材がトリガー付勢手段の付勢力に抗して作動して前記ラッチ係止部材に作用してラッチ状態を解除するトリガー機構と、を備えた自動施錠装置において、
前記トリガー機構は、
前記トリガー作動部材に一体に設けられた第１永久磁石が前記フロント板の内面に対向して設けられ、
閉扉時にフロント板から突出した前記デッドボルトが貫通して挿入される施錠口を有する戸口枠側のストライク板の内側に第２永久磁石が設けられ、
閉扉したときに、前記第１永久磁石が前記第２永久磁石に対応して互いに作用する磁力を受けて前記トリガー作動部材を前記トリガー付勢手段の付勢力に抗して作動することを特徴とする。
【００１４】
この構成によれば、閉扉したときに、扉の戸先に沿ったフロント板の内面に対向する第１永久磁石が、戸口枠側のストライク板の内側の第２永久磁石に対応して互いに作用する磁力を受けてトリガー作動部材をトリガー付勢手段の付勢力に抗して作動するので、トリガー作動部材がラッチ係止部材に作用してラッチ状態を解除して、デッドボルトが戸口枠側のストライク板の施錠口に合致したとき、デッドボルトが施錠口を貫通して最大突出量まで突出してロック状態とする。
【００１５】
デッドボルトが中間突出量突出したラッチ状態の開扉時には、扉の戸先側の第１永久磁石が戸口枠側のストライク板の内側の第２永久磁石に対応しておらず、磁力が働いてトリガー作動部材を作動することはなく、また扉のフロント板の表面はデッドボルトが突出する以外平坦でトリガー出没部材等が突出しているわけではないので、誤ってあるいは悪戯により、第１永久磁石およびトリガー作動部材が作動されるようなことはなく、よって、開扉時にラッチ状態が解除されことはなく、デッドボルトが最大突出量まで突出してロック状態となることを未然に防止することができる。
【００１６】
前記構成において、
前記トリガー機構は、閉扉時に、前記第１永久磁石と前記第２永久磁石が互いに同じ磁極を対向させて斥力を生じさせるようにしてもよい。
【００１７】
この構成によれば、トリガー機構は、閉扉時に、第１永久磁石と第２永久磁石が互いに同じ磁極を対向させて斥力を生じさせるので、閉扉時に、第１永久磁石は、第２永久磁石に近づき互いに同じ磁極を対向させて斥力を受けて、トリガー作動部材とともに後退してラッチ係止部材を作動することができる。
このトリガー機構では、開扉時に鉄などの強磁性体が、フロント板に近づき、対応した第１永久磁石により磁化されたとしても、第１永久磁石が吸引されることはあっても、斥力を受けてトリガー作動部材とともに後退することはなく、強磁性体のために、誤ってトリガー機構が作動することはなく、デッドボルトが最大突出量まで突出してロック状態となることを未然に防止することができる。
【００１８】
前記構成において、
前記デッドボルトの前記ロック係止部材側の側面にロック係止突起部とラッチ凹部が前後に並んで形成され、
前記ロック係止部材は、回動自在に設けられ、前記ラッチ凹部に係合して前記デッドボルトと連動されるとともに前記ロック係止突起部に係止してロック状態とするロック係止片部と、前記ラッチ係止部材に係止してラッチ状態とするラッチ係止片部とを備え、
前記ラッチ係止部材は、前記トリガー作動部材に固着され、
前記ラッチ係止片部が前記ラッチ係止部材に当接する方向に前記ロック係止部材が、回動付勢手段により回動付勢されるようにしてもよい。
【００１９】
この構成によれば、閉扉時には、第１永久磁石が第２永久磁石に対応して互いに作用する磁力を受けてトリガー作動部材をラッチ係止部材とともに作動するので、ロック係止部材のラッチ係止片部との係止による回動規制が解除され、ロック係止部材の回動とともにデッドボルトが最大突出量まで突出し、ロック係止部材のロック係止片部がデッドボルトのロック係止突起部に係止してロック状態となる。
開扉時には、ロック係止部材のラッチ係止片部が、トリガー作動部材に固着されたラッチ係止部材に当接して、回動が規制されることで、ロック係止部材のロック係止片部を介して連動するデッドボルトが中間突出量突出したラッチ状態となる。
【００２０】
この開扉時のラッチ状態では、扉のフロント板の表面はデッドボルトが突出する以外平坦でトリガー出没部材等が突出しているわけではないので、誤ってあるいは悪戯により第１永久磁石がトリガー作動部材とともに作動されることはなく、よってラッチ状態が解除されることはなく、デッドボルトが最大突出量まで突出してロック状態となることを未然に防止することができる。
【００２１】
前記構成において、
前記デッドボルトの前記ロック係止部材側の側面にロック係止段部とラッチ突起部が前後に並んで形成され、
前記ロック係止部材は、回動自在に設けられ、前記ロック係止段部に係止してロック状態とするロック係止杆部を備え、
前記ラッチ係止部材は、回動自在に設けられ、前記ラッチ突起部に係止するラッチ係止爪部と、前記トリガー作動部材に係合して連動させるトリガー係合突部とを備え、
回動付勢手段により、前記ロック係止杆部が前記デッドボルトのロック係止段部に係止する方向に前記ロック係止部材が回動付勢されると同時に、前記トリガー係合突部が前記トリガー作動部材に係合する方向に前記ラッチ係止部材が回動付勢されるようにしてもよい。
【００２２】
この構成によれば、閉扉時には、第１永久磁石が第２永久磁石に対応して互いに作用する磁力を受けてトリガー作動部材とともに作動し、トリガー作動部材にトリガー係合突部で係合して連動するラッチ係止部材が回動して、ラッチ係止部材のラッチ係止爪部によるデッドボルトのラッチ突起部との係止を解除するので、デッドボルトが最大突出量まで突出し、ロック係止部材のロック係止杆部がデッドボルトのロック係止段部に係止してロック状態となる。
開扉時には、第１永久磁石が第２永久磁石の磁力の影響を受けずトリガー付勢手段により移動したトリガー作動部材とともにラッチ係止部材が回動してラッチ係止爪部がデッドボルトのラッチ突起部に係止可能として、デッドボルトが中間突出量まで突出して、それ以上の前進を規制されたラッチ状態となる。
【００２３】
この開扉時のラッチ状態では、扉のフロント板の表面はデッドボルトが突出する以外平坦でトリガー出没部材等が突出しているわけではないので、誤ってあるいは悪戯により、第１永久磁石およびトリガー作動部材が作動されることはなく、よってラッチ状態が解除されることはなく、デッドボルトが最大突出量まで突出してロック状態となることを未然に防止することができる。
【発明の効果】
【００２４】
本発明は、デッドボルトが中間突出量突出したラッチ状態の開扉時には、扉の戸先側の第１永久磁石が戸口枠側のストライク板の内側の第２永久磁石に対応しておらず、磁力が働いてトリガー作動部材を作動することはなく、また扉の戸先面は平坦でトリガー出没部材等が突出しているわけではないので、誤ってあるいは悪戯により、第１永久磁石およびトリガー作動部材が作動されるようなことはなく、よって、開扉時にラッチ状態が解除されことはなく、デッドボルトが最大突出量まで突出してロック状態となることを未然に防止することができる。
【図面の簡単な説明】
【００２５】
【図１】本発明の第１の実施の形態に係る自動施錠装置を備えた扉および戸口の外観図である。
【図２】同自動施錠装置とストライク板を互いに間隔を開けて対応させて示した斜視図である。
【図３】デッドボルトが中間突出量まで突出したラッチ状態における同自動施錠装置の内部構造を示す断面図である。
【図４】図３に示される同自動施錠装置の要部断面図である。
【図５】扉の閉じ始めの状態における同自動施錠装置の内部構造を示す要部断面図である。
【図６】扉の閉じ終わり直前の状態における同自動施錠装置の内部構造を示す要部断面図である。
【図７】扉の閉扉状態における同自動施錠装置の内部構造を示す要部断面図である。
【図８】錠シリンダに差し込んだキーの操作による解錠途中における同自動施錠装置の内部構造を示す要部断面図である。
【図９】キーの操作による解錠後における同自動施錠装置の内部構造を示す要部断面図である。
【図１０】その後、扉を開いた閉扉状態における同自動施錠装置の内部構造を示す要部断面図である。
【図１１】デッドボルトが最大突出量まで突出したロック状態で第２ストッパ部材を退避させたときの同自動施錠装置の内部構造を示す断面図である。
【図１２】ハンドルレバーの操作でハンドルハブを回動することによる解錠後における同自動施錠装置の内部構造を示す要部断面図である。
【図１３】本発明の第２の実施の形態に係る自動施錠装置のデッドボルトが中間突出量まで突出したラッチ状態における内部構造を示す断面図である。
【図１４】図１３に示される同自動施錠装置の要部断面図である。
【図１５】扉の閉じ始めの状態における同自動施錠装置の内部構造を示す要部断面図である。
【図１６】扉の閉じ終わり直前の状態における同自動施錠装置の内部構造を示す要部断面図である。
【図１７】扉の閉扉状態における同自動施錠装置の内部構造を示す要部断面図である。
【図１８】錠シリンダに差し込んだキーの操作による解錠途中における同自動施錠装置の内部構造を示す要部断面図である。
【図１９】キーの操作による解錠後における同自動施錠装置の内部構造を示す要部断面図である。
【図２０】その後、扉を開いた閉扉状態における同自動施錠装置の内部構造を示す要部断面図である。
【図２１】デッドボルトが最大突出量まで突出したロック状態で回動規制部材の屈曲端部を退避させたときの同自動施錠装置の内部構造を示す断面図である。
【図２２】ハンドルレバーの操作でハンドルハブを回動することによる解錠後における同自動施錠装置の内部構造を示す要部断面図である。
【発明を実施するための形態】
【００２６】
以下、本発明に係る一実施の形態について図１ないし図１２に基づいて説明する。
図１は、本発明を適用した一実施の形態に係る自動施錠装置10を備えた扉５および戸口４の外観図である
【００２７】
同図１を参照して、建物１の壁２に戸口枠３で仕切られて矩形に開口した戸口４が形成され、同戸口４を扉５が揺動して外側から開閉することができる。
扉５の戸先５ａに沿って所定高さにフロント板12を露出させて自動施錠装置10が扉５の内側に配設されている。
【００２８】
自動施錠装置10のフロント板12からは前方にデッドボルト20が突出しており、扉５の内外両側面にはレバーハンドル15および錠シリンダ16が設けられている。
一方、戸口４を閉めた扉５の戸先５ａが対向する戸口枠３の垂直枠部３ａに、ストライク板11が自動施錠装置10のフロント板12に対向して設けられている。
【００２９】
図２は、自動施錠装置10とストライク板11を、互いに間隔を開けて対応させて示した斜視図である。
自動施錠装置10は、戸先５ａの面に沿って嵌め込まれるフロント板12の内側に、扁平直方体状の錠箱13が設けられている。
【００３０】
フロント板12の矩形口12ａからデッドボルト20が前方に向け突出している。
なお、扉５において、フロント板12からデッドボルト20が突出する方向を前方とし、デッドボルト20が引っ込む方向を後方とする。
デッドボルト20は、前後に長尺の直方体状をなし、突出端（前端）に傾斜面20ｓを有する。
【００３１】
また、デッドボルト20は、下側側面の前後所定位置に突起20ｂが突出しており、デッドボルト20は突起20ｂがフロント板12の内面に当接するまで突出する。
一方、フロント板12に対向するストライク板11には、扉５のフロント板12から突出したデッドボルト20が貫通して挿入される矩形の施錠口11ａが形成されている。
【００３２】
錠箱13には、後方上側に錠シリンダ16のシリンダカム17が設けられ、後方下側にレバーハンドル15の角軸が嵌入されるハンドルハブ18が設けられている。
そして、錠箱13の内側で、デッドボルト20の上方に、フロント板12の内面に対向して第１永久磁石Ｍ１が後述するように設けられており、一方のストライク板11の内面には、第２永久磁石Ｍ２が固着されている。
【００３３】
閉扉時には、第１永久磁石Ｍ１と第２永久磁石Ｍ２は対向する位置にあり、互いに対向する側が同磁極となるように設けられ、互いに斥力が働き、第１永久磁石Ｍ１を移動させるトリガー機構30が構成されている。
なお、第１永久磁石Ｍ１に近接するフロント板12および第２永久磁石Ｍ２が固着されるストライク板11は、磁力線の分散を避けるため非磁性材料で構成されている。
【００３４】
本自動施錠装置10は、フロント板12からデッドボルト20が突出するのみで、デッドボルト20以外にはフロント板12の平坦な表面が外部に露出しているのみである。
後述するように、デッドボルト20は、フロント板12の矩形口12ａから前進して突出し、後退して引っ込み没することができ、突出する場合も閉扉時の最大突出量まで突出するロック状態と、開扉時の最大突出量より小さい中間突出量まで突出するラッチ状態の２段の突出状態を有する。
【００３５】
図３は、自動施錠装置10の内部構造を示す断面図であり、開扉時のデッドボルト20が中間突出量Ｐａまで突出したラッチ状態を示している。
デッドボルト20は、錠箱13の後壁13ｒから前方に突出するガイド支軸21に後方から挿入されて、前後に摺動自在に支持され、ガイド支軸21に巻装された圧縮コイルばね22により前方に付勢されている。
【００３６】
デッドボルト20は、前後に長尺の直方体状をなし、上側側面にロック係止突起部20ｐとラッチ凹部20ｑが前後に並んで形成されている。
ロック係止突起部20ｐは、図３に示す側面視で上方に先細に突出して三角形状をなしており、後方の後斜面20prが若干凹んで湾曲している。
ラッチ凹部20ｑは、側面視で凹状に凹んでおり、ロック係止突起部20ｐに連続して後方に形成されている。
【００３７】
このデッドボルト20のロック係止突起部20ｐとラッチ凹部20ｑの上方に、ロック係止部材25が回動軸26に軸支されて回動自在に設けられている。
ロック係止部材25は、回動軸26より径方向に突出したロック係止片部25ａとラッチ係止片部25ｂを有する。
【００３８】
ロック係止部材25のロック係止片部25ａは、概ね回動軸26の下方を前後に揺動し、先端がデッドボルト20のラッチ凹部20ｑに係合して、図４〜図６，図８〜図１０に示されるように、デッドボルト20と連動することができるとともに、先端がデッドボルト20のロック係止突起部20ｐの後斜面20prに当接して係止することができる（図７参照）。
【００３９】
ロック係止部材25のラッチ係止片部25ｂは、概ね回動軸26の前方を上下に揺動し、先端が屈曲して係止部25bbを形成している。
ロック係止部材25には、回動軸26より上方に第１ローラ27が軸支され、回動軸26より下方のロック係止片部25ａより後方に第２ローラ28が軸支されている。
回動軸26の上方には錠シリンダ16が配置され、第１ローラ27は、錠シリンダ16と回動軸26との間に前後に揺動可能に位置しており、前記錠シリンダ16のシリンダカム17のカム片17ａが当接して作用することができる。
【００４０】
回動軸26に巻装されたねじりコイルばね24の一端がラッチ係止片部25ｂの屈曲した係止部25bbの下部に下方から係止し、同ねじりコイルばね24の他端が回動軸26の後方で錠箱13の内側面に突設された係止ピン29に下方から係止することで、ねじりコイルばね24によりロック係止部材25は図３に示す側面視で時計回りに回動付勢される。
【００４１】
錠シリンダ16とフロント板12との間に、Ｌ字に屈曲したガイド板33が錠箱13の内側面に取り付けられている。
ガイド板33は、水平板部33ｈの前端が上方に屈曲して垂直板部33ｖを構成しており、垂直板部33ｖがフロント板12の近傍に位置し、水平板部33ｈが錠シリンダ16と第１ローラ27の間の高さ位置にある。
【００４２】
ガイド板33の水平板部33ｈの下面に沿って前後に摺動自在にトリガー作動部材31が設けられている。
トリガー作動部材31に取り付けられた磁石支持板32に第１永久磁石Ｍ１が支持される。
磁石支持板32は、水平板部32ｈの前端が下方に屈曲して垂直板部32ｖが構成され、水平板部32ｈがトリガー作動部材31の前部上面に固着され、垂直板部32ｖの前面に第１永久磁石Ｍ１が固着されて、第１永久磁石Ｍ１はトリガー作動部材31に一体に設けられている。
第１永久磁石Ｍ１はフロント板12の内面に対向してフロント板12の近傍にあって、磁石支持板32を介してトリガー作動部材31と一体に前後に移動可能である。
以上の構造と前記第２永久磁石Ｍ２とからトリガー機構30が構成されている。
【００４３】
磁石支持板32の水平板部32ｈの後部に上端を固着された棒状のラッチ係止部材35がトリガー作動部材31に固定されてトリガー作動部材31より下方に突出して設けられている。
したがって、トリガー作動部材31は、ラッチ係止部材35と一体に前後に移動する。
【００４４】
錠箱13の内側の上部前方位置において支持ピン36が内側面に突設されており、同支持ピン36に巻装されたねじりコイルばね37の一端は、錠箱13の上壁に接し、ねじりコイルばね37の他端は、磁石支持板32の垂直板部32ｖの後面に接する。
したがって、ねじりコイルばね37によりトリガー作動部材31は、第１永久磁石Ｍ１およびラッチ係止部材35と一体に前方に付勢される。
【００４５】
図３に示されるように、ねじりコイルばね37により付勢されてトリガー作動部材31が最も前方に位置したとき、第１永久磁石Ｍ１はフロント板12の内面に接近しており、ラッチ係止部材35はロック係止部材25のラッチ係止片部25ｂの先端係止部25bbが下方から当接して押圧する位置にある。
【００４６】
レバーハンドル15の角軸が嵌入されるハンドルハブ18は、デッドボルト20の直下の後寄りに位置している。
回動するハンドルハブ18は、概ね下部から前方に係止片部18ａが突出形成されるとともに、ハンドルハブ18の上部に受圧板19が固着されて後方に突出している。
【００４７】
ハンドルハブ18の後側で受圧板19の下方に支持板40にガイド軸41が立設され、同ガイド軸41に押圧部材42が上方から被さるように嵌合され、ガイド軸41に巻装された圧縮コイルばね43が押圧部材42を上方に付勢している。
圧縮コイルばね43により上方に付勢された押圧部材42は、凸曲面に形成された上端面が受圧板19に当接して押圧するので、ハンドルハブ18を図３に示す側面視で反時計回りに回動付勢する。
【００４８】
ハンドルハブ18は、下部から前方に突出した係止片部18ａの上方がＬ字に切り欠かれて係止片部18ａの上面に垂直の切欠き面18ｂが形成されており、この切欠き面18ｂに前方から当接する第１ストッパ部材44が錠箱13に固定されて設けられている。
したがって、圧縮コイルばね43により受圧板19を介して回動付勢されたハンドルハブ18は、第１ストッパ部材44に当接して回動を規制される。
【００４９】
ハンドルハブ18の上部からは上方にハンドル作動レバー45が延出している。
ハンドル作動レバー45は、ハンドルハブ18と一体に前後に揺動し、後方に揺動したとき、ロック係止部材25の第２ローラ28に当接してロック係止部材25を回動することができる。
【００５０】
ハンドルハブ18の切欠き面18ｂに当接して回動を規制する第１ストッパ部材44とハンドルハブ18の下部から前方に突出した係止片部18ａとの間に、第２ストッパ部材46が出没する。
すなわち、第２ストッパ部材46は、前後に長く支持ピン48に支持されて前後に摺動する水平摺動板47の後端に設けられている。
【００５１】
ハンドルハブ18の下側には、電磁アクチュエータとしてのソレノイド50がロッド50ａを前方に突出して設けられている。
なお、ソレノイド50は遠隔操作される。
ロッド50ａの前端には、第１リンク部材51が嵌着されており、第１リンク部材51の前部には前後に長い長孔51ｈが形成されている
【００５２】
第１リンク部材51の長孔51ｈを貫通して錠箱13の内側面に突設される支軸53に第２リンク部材52が、揺動自在に軸支されている。
第２リンク部材52は、支軸53より下部で連結ピン54により第１リンク部材51と連結され、上端係合部52ａが前記水平摺動板47に係合している。
【００５３】
図３に示される状態は、ソレノイド50がロッド50ａを突出させ、第１リンク部材51と第２リンク部材52のリンク機構を介して水平摺動板47を後方に移動して、第１ストッパ部材44とハンドルハブ18の係止片部18ａとの間に、水平摺動板47の後端の第２ストッパ部材46が挿入されている。
したがって、図３に示されるように、ハンドルハブ18の回動が第１ストッパ部材44と第２ストッパ部材46により規制されているので、ハンドルハブ18の方形孔に角軸が嵌入され一体に回動するレバーハンドル15の回動操作はできない状態にある。
【００５４】
ここで、ソレノイド50がロッド50ａを第１リンク部材51とともに後退させると、連結ピン54を介して第２リンク部材52が支軸53を中心に図３に示す側面視で反時計回りに揺動し、第２リンク部材52の上端係合部52ａが係合する水平摺動板47を前方に移動することで、図１１に示されるように、第２ストッパ部材46が第１ストッパ部材44とハンドルハブ18の係止片部18ａとの間から抜けるので、ハンドルハブ18の時計回りの回動規制が解除され、図１２に示されるように、レバーハンドル15の回動操作が可能となり、ハンドルハブ18を圧縮コイルばね43の付勢力に抗して回動してハンドル作動レバー45を揺動し、後述するように、デッドボルト20のロック状態を解除することができる。
【００５５】
本第１の実施の形態の自動施錠装置10は、以上のような構造をしており、以下開扉状態から閉扉状態までの作動を、デッドボルト20より下方のロック状態を解除する機構を省略した図４ないし図７に基づいて説明する。
図４は、図３と同じ開扉状態を示すもので、デッドボルト20が中間突出量まで突出するラッチ状態を示している。
【００５６】
すなわち、扉５が戸口枠３の垂直枠部３ａから離れた開扉状態にあるので、自動施錠装置10のフロント板12の対向する位置に垂直枠部３ａのストライク板11はなく、したがって、第１永久磁石Ｍ１は、第２永久磁石Ｍ２の磁力による斥力は受けず、ねじりコイルばね37の付勢力により前方位置にあってフロント板12に近接して位置している。
そのため、磁石支持板32を介してラッチ係止部材35も前方位置にある。
【００５７】
この前方位置にあるラッチ係止部材35に、ねじりコイルばね24に回動付勢されたロック係止部材25のラッチ係止片部25ｂの先端屈曲部である係止部25bbが下方から圧接してロック係止部材25の図３に示す側面視で時計回りの回動が規制されている。
このとき、ロック係止部材25のロック係止片部25ａは、デッドボルト20のラッチ凹部20ｑに係合している。
【００５８】
したがって、ロック係止部材25に係合したデッドボルト20は、図４に示されるように、フロント板12から中間突出量Ｐａだけ突出した状態で、回動が規制されたロック係止部材25に係合することで、これ以上の前方への突出は規制されている。
【００５９】
しかし、デッドボルト20の後方への移動は、ロック係止部材25がねじりコイルばね24の付勢力に抗して、図３に示す側面視で、反時計回りに回動可能であるので、デッドボルト20の後方への移動は可能である。
すなわち、扉５が開扉状態にあるときは、デッドボルト20が中間突出量Ｐａまで突出し、それ以上の突出が規制され、後方への移動は許容されるラッチ状態にある。
【００６０】
この開扉状態から、扉５が閉じ始め、中間突出量Ｐａまで突出したデッドボルト20の突出端（前端）の傾斜面20ｓがストライク板11に当接すると、図５に示されるように、デッドボルト20は圧縮コイルばね22の付勢力に抗して若干後方に後退し、同時にデッドボルト20に係合したロック係止部材25が反時計回りに若干回動し、ラッチ係止片部25ｂの先端屈曲部である係止部25bbがラッチ係止部材35から離れている。
【００６１】
さらに、扉５が閉じると、図６に示されるように、ストライク板11との当接により、デッドボルト20はさらに後退し、デッドボルト20の先端がストライク板11の表面に当接する。
同時に第１永久磁石Ｍ１がストライク板11の内面の第２永久磁石Ｍ２に近づき、互いに対向する同磁極により斥力が働き、第１永久磁石Ｍ１は後方に力を受け、第１永久磁石Ｍ１と磁石支持板32およびトリガー作動部材31を介して一体のラッチ係止部材35がラッチ係止片部25ｂにより圧接されていないので、第１永久磁石Ｍ１はトリガー作動部材31およびラッチ係止部材35とともに後方に抵抗なく移動する（図６参照）。
そのため、ラッチ係止部材35はロック係止部材25の係止部25bbが圧接する位置になく、ロック係止部材25は図６に示す側面視で時計回りの回動が可能となる。
【００６２】
次いで、扉５が完全に閉じると、図７に示されるように、デッドボルト20がストライク板11に開口した施錠口11ａに臨むことで、デッドボルト20は、圧縮コイルばね22の付勢力により突出して施錠口11ａを貫通して挿入され、デッドボルト20の突起20ｂがフロント板12の内面に当接する最大突出量Ｐｂまで突出する。
【００６３】
このデッドボルト20の突出によりデッドボルト20のラッチ凹部20ｑにロック係止片部25ａが係合していたロック係止部材25が連動して、図７に示す側面視で時計回りに回動し、ロック係止片部25ａがラッチ凹部20ｑから抜け、ロック係止部材25のラッチ係止片部25ｂがガイド板33の水平板部33ｈに当接して回動が規制されたところで、ロック係止片部25ａの先端面がデッドボルト20のロック係止突起部20ｐの後斜面20prに当接可能に対向し、デッドボルト20の後方への移動はロック係止部材25のロック係止片部25ａにより規制される。
【００６４】
したがって、図７に示されるように、デッドボルト20は、最大突出量Ｐｂまで突出してストライク板11の施錠口11ａを貫通して挿入されたところで、デッドボルト20の後方への移動は規制されてロック状態となる。
扉５は閉扉状態にあって、デッドボルト20が施錠口11ａに挿入されて施錠状態にある。
【００６５】
図３に示されるように、ソレノイド50がロッド50ａを後退して第２ストッパ部材46が第１ストッパ部材44とハンドルハブ18の係止片部18ａとの間に挿入されているときは、レバーハンドル15の回動操作は不能な状態にあり、レバーハンドル15によりロック状態を解除することはできない。
したがって、このような状態では、錠シリンダ16にキーを差し込んでシリンダカム17を回動しない限り、ロック状態を解除することができない。
【００６６】
図８は、キー操作によりシリンダカム17が図８に示す側面視で時計回りに回動し、シリンダカム17のカム片17ａが第１ローラ27に当接してロック係止部材25をねじりコイルばね24の付勢力に抗して反時計回りに回動させている。
したがって、ロック係止部材25のロック係止片部25ａがデッドボルト20のロック係止突起部20ｐの後斜面20prとの対向位置から外れて、ここでロック状態が解除される。
【００６７】
さらに、キーが操作され、シリンダカム17が図８に示す側面視で時計回りに回動すると、図９に示されるように、シリンダカム17のカム片17ａが第１ローラ27を前方に揺動して、ロック係止部材25を反時計回りにさらに回動させるので、ロック係止片部25ａが後方に揺動しながらデッドボルト20のラッチ凹部20ｑに係合してロック状態が解除されたデッドボルト20を後方に後退させて、ストライク板11の施錠口11ａから抜け去り、フロント板12の矩形口12ａに引っ込める。
よって、扉５を開扉することができる。
【００６８】
扉５が開扉されると、図１０に示されるように、フロント板12の対向する位置に垂直枠部３ａのストライク板11はなく、したがって、第１永久磁石Ｍ１は、第２永久磁石Ｍ２の磁力による斥力が失われ、ねじりコイルばね37の付勢力によりトリガー作動部材31およびラッチ係止部材35とともに前方に移動する。
【００６９】
その後、キーを操作してシリンダカム17を図１０に示す側面視で反時計回りに回動して元の状態に戻すと、シリンダカム17のカム片17ａに第１ローラ27が当接したままねじりコイルばね24の付勢力によりロック係止部材25が時計回りに回動して、前方に移動したラッチ係止部材35にラッチ係止片部25ｂの先端係止部25bbが下方から圧接するとともに、デッドボルト20が圧縮コイルばね22の付勢力により前方に突出するので、前記図４に示されたデッドボルト20が中間突出量Ｐａまで突出した開扉状態となる。
【００７０】
キー操作以外にロック状態を解除するには、レバーハンドル15の回動操作によるものがあるが、前記したように、ソレノイド50がロッド50ａを前方に突出して、図１１に示されるように、第２ストッパ部材46が第１ストッパ部材44とハンドルハブ18の係止片部18ａとの間から抜けた状態として、レバーハンドル15の回動操作を可能としておく必要がある。
【００７１】
図１１に示される状態で、レバーハンドル15が圧縮コイルばね43の付勢力に抗して時計回りに回動操作されると、図１２に示されるように、ハンドルハブ18が時計回りに回動し、ハンドルハブ18と一体に揺動するハンドル作動レバー45がロック係止部材25の第２ローラ28を後方に揺動してロック係止部材25を反時計回りに回動するので、図９に示すようなキー操作のときと同じように、ロック係止片部25ａが後方に揺動しながらデッドボルト20のラッチ凹部20ｑに係合してロック状態が解除されたデッドボルト20を後方に後退させ、ストライク板11の施錠口11ａから抜け去り、フロント板12の矩形口12ａに引っ込める。
よって、扉５を開扉することができる。
【００７２】
扉５が開扉されると、第１永久磁石Ｍ１は、第２永久磁石Ｍ２の磁力による斥力は失われ、ねじりコイルばね37の付勢力によりラッチ係止部材35とともに前方に移動し（図１０参照）、その後、レバーハンドル15が圧縮コイルばね43の付勢力により元の回動位置に戻ると、ハンドル作動レバー45に第２ローラ28が当接したままねじりコイルばね24の付勢力によりロック係止部材25が時計回りに回動して、前方に移動したラッチ係止部材35にラッチ係止片部25ｂの先端係止部25bbが下方から圧接するとともに、デッドボルト20が圧縮コイルばね22の付勢力により前方に突出するので、前記図３に示されたデッドボルト20が中間突出量Ｐａまで突出した開扉状態となる。
【００７３】
以上のように、レバーハンドル15の回動操作によりロック状態を解除することができるのは、ソレノイド50がロッド50ａを前方に突出して、図１１に示されるように、第２ストッパ部材46が第１ストッパ部材44とハンドルハブ18の係止片部18ａとの間から抜けた状態に設定されていなければならない。
【００７４】
したがって、ソレノイド50がロッド50ａを突出させ、第１ストッパ部材44とハンドルハブ18の係止片部18ａとの間に、水平摺動板47の後端の第２ストッパ部材46が挿入されている状態に設定されていると、レバーハンドル15の回動操作によりロック状態を解除することができず、錠シリンダ16にキーを差し込んでキー操作をしない限り、ロック状態を解除することができない。
【００７５】
本自動施錠装置10は、開扉時には、図３に示されるように、デッドボルト20が中間突出量突出したラッチ状態にあり、扉５の戸先側の第１永久磁石Ｍ１が戸口枠３側のストライク板11の内側の第２永久磁石Ｍ２に対応しておらず、磁力が働いてトリガー作動部材31を作動することはなく、また扉５のフロント板12の表面はデッドボルト20が突出する以外平坦でトリガー出没部材等が突出しているわけではないので、誤ってあるいは悪戯により、第１永久磁石Ｍ１およびトリガー作動部材31が作動されるようなことはない。
したがって、開扉時にラッチ状態が解除されことはなく、デッドボルト20が最大突出量まで突出してロック状態となることを未然に防止することができる。
【００７６】
人の出入りを厳重に管理すべく、内側と外側の双方のハンドルレバーの操作を通常できないように設定してある場合、従来のように、開扉時にトリガーが作動されてデッドボルトが最大突出量まで突出してロック状態となってしまうようなことがあると、キーが手元にないために、直ぐにロック状態を解除できず、長時間に亘りデッドボルトが最大突出量まで突出した状態が継続することがあり、突出したデッドボルトが戸口枠に衝突する等して破損する等のおそれがあるが、本自動施錠装置10は、このような事故を未然に防止することができる。
【００７７】
本自動施錠装置10のトリガー機構30は、閉扉時に、第１永久磁石M１と第２永久磁石M２が互いに同じ磁極を対向させて斥力を生じさせるので、閉扉時に、第１永久磁石M１は、第２永久磁石M２に対応して互いに同じ磁極を対向させて斥力を受けて、トリガー作動部材31とともに後退してラッチ係止部材35を作動することができる。
【００７８】
このような本トリガー機構30では、開扉時に鉄などの強磁性体が、フロント板12に近づき、対応した第１永久磁石Ｍ１により磁化されたとしても、第１永久磁石Ｍ１が前方に吸引されることはあっても、斥力を受けてトリガー作動部材とともに後退することはない。  すなわち、強磁性体のために、誤ってトリガー機構が作動することはなく、デッドボルトが最大突出量まで突出してロック状態となることを未然に防止することができる。
【００７９】
本自動施錠装置10の場合、レバーハンドル15の角軸が嵌入されるハンドルハブ18は、内側と外側の２枚が重ねられて構成されており、外側のハンドルハブがソレノイド50の駆動により第２ストッパ部材46が第１ストッパ部材44と外側のハンドルハブの係止片部との間に挿入され、外側のハンドルハブのみが回動を規制されるようになっている。
【００８０】
しかし、内側レバーハンドルと外側レバーハンドルは、共通の角軸を有し、同角軸が内外のハンドルハブに嵌入されることで、内外のハンドルハブと内外のレバーハンドルは一体に回動し、ソレノイド50の駆動により第２ストッパ部材46が第１ストッパ部材44と外側のハンドルハブの係止片部との間に挿入されたときは、内外のレバーハンドルはともに操作できなくなるように構成されている。
【００８１】
なお、内側レバーハンドルと外側レバーハンドルがそれぞれ別個に角軸を有し、各角軸が内外のハンドルハブにそれぞれ嵌着されるように構成されている場合がある。
この場合、デッドボルトが最大突出量突出してロック状態にあるときに、内側レバーハンドルの操作で、ソレノイド50の駆動の有無に拘わらず常にロック状態を解除することができる。
【００８２】
しかし、開扉時にデッドボルトが最大突出量突出してロック状態にあることに気付かない場合は、内側レバーハンドルを操作することなく扉を閉めようとして、突出したデッドボルトが戸口枠に衝突する事態が生じてしまう。
本自動施錠装置10の場合は、開扉時にデッドボルトが最大突出量まで突出してロック状態となることが防止されているので、かかる事態の発生を未然に防止することができる。
【００８３】
次に、別の第２の実施の形態に係る自動施錠装置60について図１３ないし図２２に基づいて説明する。
図１３は、自動施錠装置60の錠箱63の内部構造を示す断面図であり、開扉時のデッドボルト70がフロント板62から中間突出量まで突出するラッチ状態を示している。
デッドボルト70は、前後に摺動自在に支持され、錠箱63の後壁63ｒとの間に介装された圧縮コイルばね72により前方に付勢されている。
【００８４】
デッドボルト70は、ボルト頭部70ａの後面からロック係止段部70ｐを形成して後方に長尺の直方体状のボルト部70ｂが延びており、ボルト部70ｂの上側側面にラッチ突起部70ｑが前方斜め上側に突出して形成されている。
ボルト頭部70ａの前端には傾斜面70ｓが形成されている。
ボルト部70ｂの後端部に下方に突起70ｒが突出形成され、この突起70ｒの前方所定位置にストッパ71が錠箱63に固定されている。
【００８５】
このデッドボルト70の上方に、ロック係止部材75とラッチ係止部材85が共通の支軸80に揺動自在に軸支されている。
ロック係止部材75は、支軸80の前後に延び、支軸80より前側のロック係止杆部75ｆの前端は、フロント板62の内面近くを上下に揺動し、支軸80より後側の後側係合杆部75ｒは支軸80の下側から後方に延び、同後側係合杆部75ｒの上側側縁の前部に凹部75raと凸部75rbが前後に連続して形成されている。
前側のロック係止杆部75ｆの前部には係止ピン76が突設されている。
【００８６】
ラッチ係止部材85は、支軸80の前後に延び、支軸80より前側のロック係止杆部85ｆの前端は下方に屈曲してラッチ係止爪部85ｎを形成しており、ラッチ係止爪部85ｎは前記ロック係止部材75のロック係止杆部75ｆの前端より後方にあって上下に揺動する。
【００８７】
ロック係止杆部85ｆの上側側縁の後部には支軸80の略上方にトリガー係合突部85ｔが形成されている。
なお、ロック係止杆部85ｆの上側側縁には、トリガー係合突部85ｔの直ぐ前に係止突部85ｓが形成されている。
支軸80より後側の後側杆部85ｒは、前記ロック係止部材75の後端辺りまで延びて上下に揺動し、後側杆部85ｒの後部に係止ピン86が突設されている。
【００８８】
支軸80に巻装されたねじりコイルばね81が、その一端をロック係止部材75のロック係止杆部75ｆの係止ピン76に係止し、他端をラッチ係止部材85の後側杆部85ｒの係止ピン86に係止して、ロック係止部材75とラッチ係止部材85を互いに反対方向に回動付勢している。
すなわち、図１３の側面視で、ロック係止部材75は反時計回りに回動付勢され、ラッチ係止部材85は時計回りに回動付勢される。
【００８９】
図１３に示される開扉時のデッドボルト70が中間突出量Ｐａまで突出したラッチ状態では、ロック係止部材75はロック係止杆部75ｆの前端部がデッドボルト70のボルト頭部70ａの上面に上方から当接し、ラッチ係止部材85はロック係止杆部85ｆの前端のラッチ係止爪部85ｎがデッドボルト70のボルト部70ｂのラッチ突起部70ｑの前面に係止している。
【００９０】
ロック係止部材75とラッチ係止部材85の上側には前後に摺動自在にトリガー機構90のトリガー作動部材91が設けられている。
トリガー作動部材91は、板部材であり、水平板部91ｈの前端が上方に屈曲して垂直板部91ｖを構成しており、垂直板部91ｖの前面に第１永久磁石Ｍ１が固着されている。
【００９１】
垂直板部91ｖの後方に対向してばね受板92が錠箱63に固定されており、同ばね受板92と垂直板部91ｖとの間に圧縮コイルばね93が介装されている。
トリガー作動部材91の水平板部91ｈの側縁にトリガー係合段部91ｔが前後所定箇所に形成されている。
【００９２】
圧縮コイルばね93に付勢されたトリガー作動部材91のトリガー係合段部91ｔにラッチ係止部材85のトリガー係合突部85ｔが前方から係合している。
したがって、トリガー作動部材91が前後すると、後退するトリガー係合段部91ｔに係合したトリガー係合突部85ｔが従動してラッチ係止部材85が回動する。
【００９３】
トリガー機構90より上側の後方には、シリンダカム67を備えた錠シリンダ66が配置されている。
この錠シリンダ66の直下にロック解除回動部材95が回動軸96に軸支されて回動自在に設けられている。
ロック解除回動部材95は、回動軸96の周囲の回動基部95ａの前部から下方に回動杆部95ｂが長尺に延出するとともに、回動基部95ａの後部から下方に突部95ｃが突出している。
回動杆部95ｂの先端は、デッドボルト70のボルト部70ｂに上下に貫通した前後に長尺の長孔に挿入され、回動杆部95ｂが後方に揺動したとき、回動杆部95ｂの先端部95bbがボルト部70ｂの後壁70bbに前方から当接し後方に押圧することができる。
【００９４】
ロック解除回動部材95の回動基部95ａの上部にはローラ97が軸支されており、ローラ97には、錠シリンダ66のシリンダカム67が回動されると、シリンダカム67のカム片67ａが当接して作用することができる。
ロック解除回動部材95の回動杆部95ｂには係止ピン98が突設されている。
ばね受板92とロック解除回動部材95との間に係止ピン94が固定されている。
【００９５】
回動軸96に巻装されたねじりコイルばね99は、その一端を係止ピン94に係止し、他端をロック解除回動部材95の係止ピン98に係止して、ロック解除回動部材95を図１３に示す側面視で時計回りに付勢している。
図１３に示されるラッチ状態おいて、ロック解除回動部材95の係止ピン98は、ロック係止部材75の後側係合杆部75ｒの上側側縁の凹部75raに上側から臨んでいる。
【００９６】
レバーハンドルの角軸が嵌入されるハンドルハブ100は、デッドボルト70の下方の後寄りに設けられている。
ハンドルハブ100は、回動中心から下方斜め前後に一対の突起部100ｐ，100ｐを突出して、前後の突起部100ｐ，100ｐ間に係合凹部100ｑが形成されている。
【００９７】
このハンドルハブ100の上に二股に分かれた脚部101ｐ，101ｐが跨るようにしてロック解除昇降部材101が支持されて昇降自在に設けられている。
ロック解除昇降部材101は、前後の脚部101ｐ，101ｐの屈曲した下端部101pp，101ppがハンドルハブ100の突起部100ｐ，100ｐの上端縁にそれぞれ当接して支持されている。
ロック解除昇降部材101は、後側の脚部101ｐから上方に本体部101ａが延出しており、本体部101ａの上端縁101ｂはロック解除回動部材95の突部95ｃに近接している。
【００９８】
ロック解除昇降部材101の前側脚部101ｐの前方に突設された固定ピン104に中心端部を固定されてゼンマイばね105が設けられており、同ゼンマイばね105の自由端部がロック解除昇降部材101の前側脚部101ｐの屈曲下端部101ppに上方から当接して下方に押圧付勢している。
【００９９】
ゼンマイばね105の下方には支軸110が錠箱63に突設されており。同支軸110に回動規制部材111が揺動自在に軸支されている。
回動規制部材111は、支軸110より前方に前側突出部111ｆが突出し、支軸110より後方に後側杆部111ｒが長尺に延び、その後端の上方に屈曲した屈曲端部111rrがハンドルハブ100の係合凹部100ｑに係合している。
回動規制部材111の前側突出部111ｆには、前端縁に切込み111ffが形成されている。
【０１００】
フロント板62とゼンマイばね105との間に電磁アクチュエータとしてのソレノイド120がロッド120ａを下方に突出して設けられている。
ロッド120ａの下端には係合板121が水平姿勢で固着されており、同係合板121の後方に延びた後端部は前記回動規制部材111の前側突出部111ｆの切込み111ffに挿入されている。
【０１０１】
図１３に示される開扉時のデッドボルト70が中間突出量Ｐａまで突出したラッチ状態では、回動規制部材111の後方に略水平に延びた後側杆部111ｒの屈曲端部111rrがハンドルハブ100の係合凹部100ｑに係合しているので、ハンドルハブ100は回動が規制され、ハンドルハブ100の方形孔に角軸が嵌入され一体に回動するレバーハンドル15の回動操作はできない状態にある。
【０１０２】
ここで、ソレノイド120がロッド120ａを引っ込め、係合板121を上昇させると、係合板121に前側突出部111ｆの切込み111ffが係合した回動規制部材111は後側杆部111ｒの大きい重量により図１３に示される側面視で時計回りに揺動して、後側杆部111ｒの屈曲端部111rrがハンドルハブ100の係合凹部100ｑから抜けるので、ハンドルハブ100の回動規制が解除され、図２２に示されるように、レバーハンドル15の回動操作が可能となり、ハンドルハブ100を回動してロック解除昇降部材101をゼンマイばね105の付勢力に抗して上昇させて、後述するように、デッドボルト70のロック状態を解除することができる。
【０１０３】
本第２の実施の形態の自動施錠装置60は、以上のような構造をしており、以下開扉状態から閉扉状態までの作動を、デッドボルト70より下方のロック状態を解除する機構を省略した図１４ないし図１７に基づいて説明する。
図１４は、図１３と同じ開扉状態を示すもので、デッドボルト70が中間突出量まで突出するラッチ状態を示している。
【０１０４】
すなわち、開扉状態にあるので、自動施錠装置10のフロント板12の対向する位置に垂直枠部のストライク板61はなく、したがって、第１永久磁石Ｍ１は、第２永久磁石Ｍ２の磁力による斥力は受けず、ねじりコイルばね37の付勢力により前方位置にあってフロント板62に近接して位置している。
【０１０５】
そのため、磁石支持板32を支持したトリガー作動部材91も前方位置にあるので、トリガー作動部材91のトリガー係合段部91ｔにトリガー係合突部85ｔが係合するラッチ係止部材85がロック係止杆部85ｆを下方に揺動してラッチ係止爪部85ｎをデッドボルト70のラッチ突起部70ｑの前面に係止している。
【０１０６】
したがって、デッドボルト70は、図１４に示されるように、フロント板62から中間突出量Ｐａだけ突出した状態で、デッドボルト70のラッチ突起部70ｑがラッチ係止爪部85ｎに係止して、これ以上の前方への突出は規制されてラッチ状態にある。
このラッチ状態では、デッドボルト70が圧縮コイルばね72の付勢力に抗して後方へ移動することは可能である。
【０１０７】
この開扉状態から、扉が閉じ始め、中間突出量Ｐａまで突出したデッドボルト70の突出端（前端）の傾斜面70ｓがストライク板61に当接すると、図１５に示されるように、デッドボルト70は圧縮コイルばね72の付勢力に抗して若干後方に後退するので、デッドボルト70のラッチ突起部70ｑの後退でラッチ係止爪部85ｎとの係止は解除される。
【０１０８】
さらに、扉が閉じると、図１６に示されるように、ストライク板61との当接により、デッドボルト70はさらに後退し、ボルト頭部70ａの先端がストライク板61の表面に当接する。
同時に第１永久磁石Ｍ１がストライク板61の内面の第２永久磁石Ｍ２に近づき、互いに対向する同磁極により斥力が働き、第１永久磁石Ｍ１は後方に力を受けて、トリガー作動部材91とともに後方に移動する。
【０１０９】
トリガー作動部材91の後方への移動により後退するトリガー係合段部91ｔに係合したトリガー係合突部85ｔがねじりコイルばね81の付勢力により従動して、ラッチ係止爪部85ｎによるラッチ突起部70ｑとの係止が解除されたラッチ係止部材85は、図１６に示す側面視で時計回りに回動し、係止突部85ｓがばね受板92に係止したところで停止する。
したがって、ラッチ係止爪部85ｎが上方に揺動し退避したので、デッドボルト70の前進は規制されることはない。
【０１１０】
次いで、扉が完全に閉じると、図１７に示されるように、デッドボルト70がストライク板61に開口した施錠口61ａに臨むことで、デッドボルト70は、圧縮コイルばね72の付勢力により突出して施錠口61ａを貫通して挿入され、デッドボルト70の突起70ｒがストッパ71に当接する最大突出量Ｐｂまで突出する。
【０１１１】
このデッドボルト70の前方への移動途中で、ボルト頭部70ａの上面に当接していたロック係止部材75のロック係止杆部75ｆが、ねじりコイルばね81の付勢力によりロック係止段部70ｐで下方に揺動落下してボルト部70ｂに当接して、ボルト頭部70ａのロック係止段部70ｐの後面にロック係止杆部75ｆの前端が対向し、デッドボルト70の後方への移動は規制され、ロック状態となる。
【０１１２】
このとき、ロック係止部材75の後側係合杆部75ｒは上方に揺動し、後側係合杆部75ｒの上側側縁の凹部75raがロック解除回動部材95の回動杆部95ｂに突設された係止ピン98に嵌合する。
扉は閉扉状態にあって、デッドボルト70が施錠口61ａに挿入されて施錠状態にある。
【０１１３】
図１３に示されるように、ソレノイド120がロッド120ａを後退して回動規制部材111の屈曲端部111rrがハンドルハブ100の係合凹部100ｑに係合しているときは、レバーハンドルの回動操作はできない状態にあり、レバーハンドルによりロック状態を解除することはできない。
したがって、このような状態では、錠シリンダ66にキーを差し込んでシリンダカム67を回動しない限り、ロック状態を解除することができない。
【０１１４】
図１８は、キー操作によりシリンダカム67が図１８に示す側面視で時計回りに回動し、シリンダカム67のカム片67ａがローラ97に当接してロック解除回動部材95をねじりコイルばね99の付勢力に抗して反時計回りに若干回動させている。
【０１１５】
ロック解除回動部材95の回動杆部95ｂに突設された係止ピン98が後方に揺動して、ロック係止部材75の後側係合杆部75ｒの凹部75raから抜け凸部75rbに移り、凸部75rbを下方に押圧するので、ロック係止部材75を図１８に示す側面視で時計回りに回動し、ロック係止杆部75ｆを上方に揺動して、ロック係止杆部75ｆの前端はデッドボルト70のロック係止段部70ｐの対向位置から外れて上方に退避するので、デッドボルト70は後方に後退可能となり、ロック状態が解除される。
【０１１６】
さらに、キーが操作され、シリンダカム67が図１８に示す側面視で時計回りに回動すると、図１９に示されるように、シリンダカム67のカム片67ａがローラ97を前方に揺動して、ロック解除回動部材95を反時計回りにさらに回動させるので、回動杆部95ｂの先端部95bbがデッドボルト70のボルト部70ｂの後壁70bbの前面（内面）を後方に押圧してデッドボルト70を後方に移動させ、フロント板62の矩形口62ａに引っ込める。
【０１１７】
同時にロック解除回動部材95の回動杆部95ｂの後方への揺動は、係止ピン98を後方に揺動するので、係止ピン98はロック係止部材75の後側係合杆部75ｒの上側側縁に摺接しながら後方に移動し、後側係合杆部75ｒを過ぎたとき、ロック係止部材75は、ねじりコイルばね81の回動付勢力により図１９に示す側面視で反時計回りに回動し、後方に後退したデッドボルト70のボルト頭部70ａの上面にロック係止杆部75ｆが当接される。
【０１１８】
この状態で、デッドボルト70がフロント板62の矩形口62ａに引っ込んだ状態にあるので、扉を開扉することができる。
扉が開扉されると、図２０に示されるように、フロント板62の対向する位置にストライク板61はなく、したがって、第１永久磁石Ｍ１は、第２永久磁石Ｍ２の磁力による斥力が失われ、圧縮コイルばね93の付勢力によりトリガー作動部材91とともに前方に移動するので、トリガー作動部材91のトリガー係合段部91ｔがラッチ係止部材85のトリガー係合突部85ｔに後方から係合して前方に押圧し、ラッチ係止部材85を図２０に示す側面視で反時計回りに回動し、ラッチ係止部材85のロック係止杆部85ｆの先端のラッチ係止爪部85ｎがデッドボルト70のボルト頭部70ａの上面に当接される。
【０１１９】
ラッチ係止部材85のラッチ係止爪部85ｎがボルト頭部70ａの上面に当接されると、デッドボルト70のラッチ突起部70ｑの前方に対向してラッチ係止爪部85ｎが位置する。
その後、キーを操作してシリンダカム67を、図２０に示す側面視で反時計回りに回動して元の状態に戻すと、ねじりコイルばね99の付勢力によりロック解除回動部材95が時計回りに回動して、デッドボルト70が圧縮コイルばね72の付勢力により前方に突出するので、ラッチ係止爪部85ｎにデッドボルト70のラッチ突起部70ｑが係止して、前記図１４に示されたデッドボルト70が中間突出量Ｐａまで突出した開扉状態となる。
【０１２０】
キー操作以外にロック状態を解除するには、レバーハンドルの回動操作によるものがあるが、前記したように、ソレノイド120がロッド120ａを上方に引っ込め、図２１に示されるように、回動規制部材111の後側杆部111ｒを下方に揺動して、後側杆部111ｒの屈曲端部111rrをハンドルハブ100の係合凹部100ｑから抜けた状態として、レバーハンドルの回動操作を可能としておく必要がある。
【０１２１】
図２１に示される状態で、レバーハンドルが操作されると、図２２に示されるように、ハンドルハブ100が図２２に示す側面視で時計回りに回動され、ハンドルハブ100の突起部100ｐがロック解除昇降部材101をゼンマイばね105の付勢力に抗して上方に押し上げる。
【０１２２】
ロック解除昇降部材101の上昇によりロック解除昇降部材101の本体部101ａの上端縁101ｂがロック解除回動部材95の突部95ｃに当接して押圧することで、ロック解除回動部材95を図２２に示す側面視で反時計回りに回動するので、図１９に示すようなキー操作のときと同じように、ロック解除回動部材95の回動杆部95ｂが後方に揺動しながらロック係止部材75によるロック状態を解除し、デッドボルト70を後方に後退させ、デッドボルト20をフロント板12の矩形口12ａに引っ込めることができる。
よって、扉を開扉することができる。
【０１２３】
扉が開扉されると、第１永久磁石Ｍ１は、第２永久磁石Ｍ２の磁力による斥力は失われ、圧縮コイルばね93の付勢力によりトリガー作動部材91とともに前方に移動し（図２０参照）、トリガー作動部材91に係合するラッチ係止部材85のロック係止杆部85ｆの先端のラッチ係止爪部85ｎがデッドボルト70のボルト頭部70ａの上面に当接され、その後、レバーハンドルがゼンマイばね105の付勢力により元の回動位置に戻ると、ロック解除昇降部材101が下降し、ロック解除回動部材95が時計回りに回動して、デッドボルト70が圧縮コイルばね72の付勢力により前方に突出するので、前記図１３に示されたデッドボルト70が中間突出量Ｐａまで突出した開扉状態となる。
【０１２４】
したがって、ソレノイド120がロッド120ａが突出されて回動規制部材111の後側杆部111ｒの屈曲端部111rrがハンドルハブ100の係合凹部100ｑに係合している状態に設定されていると、レバーハンドルの回動操作によりロック状態を解除することができず、錠シリンダ66にキーを差し込んでキー操作をしない限り、ロック状態を解除することができない。
【０１２５】
本自動施錠装置60は、開扉時には、図１３に示されるように、デッドボルト70が中間突出量突出したラッチ状態にあり、扉の戸先側の第１永久磁石Ｍ１が戸口枠側のストライク板61の内側の第２永久磁石Ｍ２に対応しておらず、磁力が働いてトリガー作動部材91を作動することはなく、また扉のフロント板62の表面はデッドボルト70が突出する以外平坦でトリガー出没部材等が突出しているわけではないので、誤ってあるいは悪戯により、第１永久磁石Ｍ１およびトリガー作動部材91が作動されるようなことはない。
したがって、開扉時にラッチ状態が解除されことはなく、デッドボルト70が最大突出量まで突出してロック状態となることを未然に防止することができる。
【０１２６】
人の出入りを厳重に管理すべく、内側と外側の双方のハンドルレバーの操作を通常できないように設定してある場合、従来のように、開扉時にトリガーが作動されてデッドボルトが最大突出量まで突出してロック状態となってしまうようなことがあると、キーが手元にないために、直ぐにロック状態を解除できず、長時間に亘りデッドボルトが最大突出量まで突出した状態が継続することがあり、突出したデッドボルトが戸口枠に衝突する等して破損する等のおそれがあるが、本自動施錠装置60は、このような事故を未然に防止することができる。
【０１２７】
本自動施錠装置10のトリガー機構90は、閉扉時に、第１永久磁石M１と第２永久磁石M２が互いに同じ磁極を対向させて斥力を生じさせるので、閉扉時に、第１永久磁石M１は、第２永久磁石M２に対応して互いに同じ磁極を対向させて斥力を受けて、トリガー作動部材91とともに後退してラッチ係止部材85を作動することができる。
【０１２８】
このような本トリガー機構90では、開扉時に鉄などの強磁性体が、フロント板62に近づき、対応した第１永久磁石Ｍ１により磁化されたとしても、第１永久磁石Ｍ１が前方に吸引されることはあっても、斥力を受けてトリガー作動部材とともに後退することはない。  すなわち、強磁性体のために、誤ってトリガー機構が作動することはなく、デッドボルトが最大突出量まで突出してロック状態となることを未然に防止することができる。
【０１２９】
以上、本発明に係る実施の形態に係る自動施錠装置について説明したが、本発明の態様は、上記実施の形態に限定されず、本発明の要旨の範囲で、多様な態様で実施されるものを含むものである。
【符号の説明】
【０１３０】
Ｍ１…第１永久磁石，Ｍ２…第２永久磁石、
１…建物、２…壁、３…戸口枠、４…戸口、５…扉、
10…自動施錠装置、11…ストライク板、12…フロント板、13…錠箱、15…レバーハンドル、16…錠シリンダ、17…シリンダカム、18…ハンドルハブ、19…受圧板、
20…デッドボルト、20ｓ…傾斜面、20ｂ…突起、20ｐ…ロック係止突起部、20ｑ…ラッチ凹部、21…ガイド支軸、22…圧縮コイルばね、23…、24…ねじりコイルばね、
25…ロック係止部材、25ａ…ロック係止片部、25ｂ…ラッチ係止片部、26…回動軸、27…第１ローラ、28…第２ローラ、29…係止ピン、
30…トリガー機構、31…トリガー作動部材、32…磁石支持板、33…ガイド板、
35…ラッチ係止部材、36…支持ピン、37…ねじりコイルばね、
40…支持板、41…ガイド軸、42…押圧部材、43…圧縮コイルばね、44…第１ストッパ部材、45…ハンドル作動レバー、46…第２ストッパ部材、47…水平摺動板、48…支持ピン、
50…ソレノイド、51…第１リンク部材、52…第２リンク部材、53…支軸、54…連結ピン、
60…自動施錠装置、61…ストライク板、62…フロント板、63…錠箱、66…錠シリンダ、67…シリンダカム、
70…デッドボルト、70ａ…ボルト頭部、70ｂ…ボルト部、70bb…後壁、70ｐ…ロック係止段部、70ｑ…ラッチ突起部、70ｒ…突起、71…ストッパ、72…圧縮コイルばね、
75…ロック係止部材、75ｆ…ロック係止杆部、75ｒ…後側係合杆部、75ra…凹部、75rb…凸部、76…係止ピン、80…支軸、81…ねじりコイルばね、
85…ラッチ係止部材、85ｆ…ロック係止杆部、85ｎ…ラッチ係止爪部、85ｔ…トリガー係合突部、85ｓ…係止突部、85ｒ…後側杆部、86…係止ピン、
90…トリガー機構、91…トリガー作動部材、91ｈ…水平板部、91ｖ…垂直板部、91ｔ…トリガー係合段部、92…ばね受板、93…圧縮コイルばね、94…係止ピン、
95…ロック解除回動部材、95ａ…回動基部、95ｂ…回動杆部、95ｃ…突部、96…回動軸、97…ローラ、98…係止ピン、99…ねじりコイルばね、
100…ハンドルハブ、100ｐ…突起部、100ｑ…係合凹部、101…ロック解除昇降部材、101ａ…本体部、101ｂ…上端縁、101ｐ…脚部、104…固定ピン、105…ゼンマイばね、
110…支軸、111…回動規制部材、111ｆ…前側突出部、111ff…切込み、111ｒ…後側杆部、111rr…屈曲端部、120…ソレノイド、121…係合板。
【図１】
2018204322.tif 000003
【図２】
2018204322.tif 000004
【図３】
2018204322.tif 000005
【図４】
2018204322.tif 000006
【図５】
2018204322.tif 000007
【図６】
2018204322.tif 000008
【図７】
2018204322.tif 000009
【図８】
2018204322.tif 000010
【図９】
2018204322.tif 000011
【図１０】
2018204322.tif 000012
【図１１】
2018204322.tif 000013
【図１２】
2018204322.tif 000014
【図１３】
2018204322.tif 000015
【図１４】
2018204322.tif 000016
【図１５】
2018204322.tif 000017
【図１６】
2018204322.tif 000018
【図１７】
2018204322.tif 000019
【図１８】
2018204322.tif 000020
【図１９】
2018204322.tif 000021
【図２０】
2018204322.tif 000022
【図２１】
2018204322.tif 000023
【図２２】
2018204322.tif 000024